(57)【要約】  【課題】  軽量化と使い勝手の良さを図ったショベル・スコップを提供する。  【解決手段】  ショベル１の把柄２、握り連結体３、及び握り４をそれぞれアルミ材にて成形する。そして、把柄２、握り連結体３、及び握り４のそれぞれをアルミ溶接して一体化する。また、匙体差込部５ａは裏面側の隙間に溶接部７を施して筒状に形成し、かつ筒状に形成した匙体差込部５ａの内径は把柄２の嵌入部基部２ｂの外径よりも若干小径とする。そして、鋼製の匙体差込部５ａにアルミ製の把柄の嵌入部２ａを圧入し、アルミ材の成形性の良さを利用して嵌入部基部２ｂの外径を縮径しながらがたつきのないように強固に嵌め入れ、リベット６にて締結固定する。これによって、アルミ材を使用したショベルが実現でき、軽量化できて使い勝手も良い。【選択図】  図１
2006152583.tif 000002
【特許請求の範囲】
【請求項１】
熱処理を施した鋼製の匙体と、該匙体を取り付ける棒状の把柄と、該把柄に取り付ける握り連結体及び握りとより構成されるショベル・スコップにおいて、前記把柄及び握り連結体をそれぞれアルミ材にて形成し、把柄及び握り連結体をアルミ溶接にて接合すると共に、匙体差込部は裏面側の隙間に溶接を施して筒状に形成し、かつ筒状に形成した匙体差込部の内径は把柄の嵌入部基部の外径よりも若干小径とし、該匙体差込部に把柄の嵌入部を圧入して匙体と把柄を接合し、リベットにて締結固定したことを特徴とするショベル・スコップ。
【請求項２】
アルミ管から成る把柄の先端側をテーパー状に絞って匙体差込部に嵌め入れる嵌入部を成形したことを特徴とする請求項１記載のショベル・スコップ。
【請求項３】
アルミ管から成る把柄の先端側に匙体差込部に嵌め入れるように成形した補強材を圧入して嵌入部を形成したことを特徴とする請求項１記載のショベル・スコップ。
【請求項４】
把柄の嵌入部基部は把柄より外径を縮小させ、匙体差込部を把柄の嵌入部基部まで嵌入して接合したときに、把柄と匙体差込部の接合部の段差をなくすようにしたことを特徴とする請求項１ないし３のいずれかに記載のショベル・スコップ。
【発明の詳細な説明】
【技術分野】
【０００１】
本発明は、土木作業や園芸作業などに使用するショベル・スコップに関する。
【背景技術】
【０００２】
土木作業などに用いられるショベル・スコップは、把柄が木製や鋼管製にて製作されているのが一般的である。そして、鋼管を把柄として使用するときには、把柄と匙体との接合部分に内挿管を挿入すると共に、把柄と匙体の突き合わせ部分を溶接により接合している（特許文献１）。
【特許文献１】実開昭５５−２１３８２号
【発明の開示】
【発明が解決しようとする課題】
【０００３】
しかしながら、従来の木製や鋼管製の把柄を有するショベル・スコップでは、それなりの重量があり、作業性を高めるために軽量化の要望が強くなってきている。また、匙体と把柄の接合部付近は、使用時に手で握るところであり、その手ざわりの向上の要望もある。
【０００４】
本発明は上記の点に鑑み、軽量化と使い勝手の良さを図ったショベル・スコップを提供することを課題とする。
【課題を解決するための手段】
【０００５】
本発明者は、上記の課題を解決するために、把柄に従来用いられることのなかったアルミ材を使用すれば強度を保ちながら軽量化を図れることに着目すると共に、鋼製の匙部とアルミ材の把柄の溶接が不可能ではあるがアルミ材の成形性の良さを利用すれば鋼製の匙部とアルミ材の把柄の接合が可能であると考えた。即ち、本発明の請求１記載のショベル・スコップにあっては、熱処理を施した鋼製の匙体と、該匙体を取り付ける棒状の把柄と、該把柄に取り付ける握り連結体及び握りとより構成されるショベル・スコップにおいて、前記把柄及び握り連結体をそれぞれアルミ材にて形成し、把柄及び握り連結体をアルミ溶接にて接合すると共に、匙体差込部は裏面側の隙間に溶接を施して筒状に形成し、かつ筒状に形成した匙体差込部の内径は把柄の嵌入部基部の外径よりも若干小径とし、該匙体差込部に把柄の嵌入部を圧入して匙体と把柄を接合し、リベットにて締結固定したことを特徴としている。
【０００６】
また、請求項２記載のショベル・スコップにあっては、アルミ管から成る把柄の先端側をテーパー状に絞って匙体差込部に嵌め入れる嵌入部を成形したことを特徴としている。
【０００７】
また、請求項３記載のショベル・スコップにあっては、アルミ管から成る把柄の先端側に匙体差込部に嵌め入れるように成形した補強材を圧入して嵌入部を形成したことを特徴としている。
【０００８】
また、請求項４記載のショベル・スコップにあっては、把柄の嵌入部基部は把柄より外径を縮小させ、匙体差込部を把柄の嵌入部基部まで嵌入して接合したときに、把柄と匙体差込部の接合部の段差をなくすようにしたことを特徴としている。
【発明の効果】
【０００９】
本発明の請求項１記載のショベル・スコップによれば、把柄及び握り連結体をそれぞれアルミ材にて形成し、把柄及び握り連結体をアルミ溶接にて接合すると共に、匙体差込部は裏面側の隙間に溶接を施して筒状に形成し、かつ筒状に形成した匙体差込部の内径は把柄の嵌入部基部の外径よりも若干小径とし、該匙体差込部に把柄の嵌入部を圧入して匙体と把柄を接合し、リベットにて締結固定したので、アルミ材使用により従来の木製や鋼管製把柄のショベル・スコップよりも軽量化が図れ、取り扱い易いものとすることができる。また、材質が異なるために溶接接合ができないアルミ製把柄と鋼製匙部を強固に接合できてアルミ材使用のショベル・スコップの実現を可能とする。
【００１０】
また、請求項２記載のショベル・スコップによれば、アルミ管から成る把柄の先端側をテーパー状に絞って匙体差込部に嵌め入れる嵌入部を成形したので、把柄の嵌入部が匙体差込部に深く嵌入されてその先端が匙体面と当接することによって連結部の強度を増すことができる。
【００１１】
また、請求項３記載のショベル・スコップによれば、アルミ管から成る把柄の先端側に匙体差込部に嵌め入れるように成形した補強材を圧入して嵌入部を形成したので、匙体差込部に嵌め入れて匙体と把柄の連結部を補強する補強材を別途製作することによって、把柄先端部をテーパー状に絞り成形するよりも安価に製作できる。
【００１２】
また、請求項４記載のショベル・スコップによれば、把柄の嵌入部基部は絞り加工によって把柄より外径を縮小させ、匙体差込部を把柄の嵌入部基部まで嵌入して接合したときに、把柄と匙体差込部の接合部の段差をなくすようにしたので、把柄と匙体の接合部付近を手で握る時に、手ざわりが良く、使い勝手の良いものとなる。
【発明を実施するための最良の形態】
【００１３】
本発明の請求項１記載のショベル・スコップによれば、把柄、握り連結体を軽量な材質であるアルミ材にて形成する。なお、握りはアルミ材または木製とする。そして、把柄と握り連結体と握り材をアルミ溶接にて一体的に接合する。なお、握りが木製であるときには握り連結体に釘等にて固着する。また、匙体差込部は裏面側の隙間に溶接を施して筒状に形成し、かつ筒状に形成した匙体差込部の内径は把柄の嵌入部基部の外径よりも若干小径とする。そして、匙体差込部にアルミ製の把柄の嵌入部を圧入し、アルミ製の把柄の成形性の良さを利用しながら把柄の嵌入部基部の外径を縮径して嵌め入れ、把柄と匙体差込部を強固に密着させて接合し、リベットなどの締結具にて締結固定する。
【００１４】
このように、把柄、握り連結体は、アルミ製で同一材料であるためにアルミ溶接により一体的に接合できる。また、アルミ製の把柄と鋼製の匙体との接合は、異なる材質のために溶接による接合が不可能であるが、匙体差込部の裏面側の隙間に溶接を施して筒状に形成し、該匙体差込部に外径の若干大なるアルミ製の把柄を圧入し、アルミの成形性の良さを利用して把柄の外径を縮径しながら接合することによって、がたつきもなく強固に接合でき、アルミ製の把柄と鋼製の匙体との接合が実現でき、ショベル・スコップの軽量化を図ることが可能となり、使い勝手も良くなる。
【００１５】
また、請求項２記載のショベル・スコップによれば、アルミ管から成る把柄の先端側をスエージング加工または絞り加工等にて漸次縮径してテーパー状に絞り、匙体差込部へ嵌め入れる嵌入部を成形する。そして、把柄のテーパー状の嵌入部を匙体差込部に嵌入し、嵌入部の先端を匙体面に当接させながら把柄と匙体を連結する。これによって、匙体差込部に深く嵌入された把柄の嵌入部の先端が匙体面と当接することによって連結部の強度を増すことができる。
【００１６】
また、請求項３記載のショベル・スコップによれば、前記のように、アルミ製の把柄の先端部を、例えばスエージング加工によってテーパー状に絞って嵌入部を成形するのはコスト高となるので、匙体差込部に嵌め入れるように成形した補強材を別途製作し、この補強材を把柄の先端部に圧入して固定する。これによって、把柄の嵌入部の製作が簡単になり、安価にショベルを製造できる。
【００１７】
また、請求項４記載のショベル・スコップによれば、把柄の嵌入部基部は絞り加工によって把柄より外径を若干縮小させると共に、匙体差込部の外径を把柄の外径とほぼ同一程度とし、匙体差込部を把柄の嵌入部基部まで嵌入して接合したときに、把柄と匙体差込部の接合部の段差をなくすようにする。これによって、ショベル使用時に、把柄と匙体の接合部付近を手で握ったときに手が段差に引っ掛かることもなくて手ざわりも良く、使い勝手の良いものとなる。
【実施例１】
【００１８】
以下、本発明の実施例を図１乃至図３に基づいて説明する。
【００１９】
図中の１は、本発明のショベルであって、把柄２、握り連結体３、握り４、及び匙体５から成り、前記把柄２、握り連結体３、及び握り４はアルミ材によって形成する。なお、握り４は、アルミ材でも良いが、寒冷地での使用を考慮すると手ざわりの良い木製でも良い。
【００２０】
前記把柄２は、アルミ材から成るパイプ形状のもので、把柄２の先端側を、図２に示すように、先端部に向かうほど漸次縮径してテーパー状に絞ることにより、匙体差込部５ａ内へ嵌め入れる嵌入部２ａを成形している。
【００２１】
把柄２の嵌入部２ａは、スエージングマシンによるスエージング加工、絞り加工、プレス加工、引き抜き加工、または押し出し加工等を利用して、テーパー状に形成し、その先端部は小径の水抜き孔（図示せず）を残しながら丸めてほぼ閉塞するように加工し、ショベル使用時に把柄２内に土壌などの異物の侵入を阻止するようにしている。また、図２のように、好ましくは、嵌入部２ａの基部２ｂは絞り加工によって把柄２より外径を若干縮小させると共に、匙体差込部５ａの外径を把柄２の外径とほぼ同一にする。なお、縮径する嵌入部基部２ｂの長さは５ｃｍ程度で良い。これによって、匙体差込部５ａを嵌入部基部２ｂ側まで嵌入したときに、把柄２と匙体差込部５ａの接合部の段差が極力なくなってショベル使用中に手が引っ掛かりにくくて使い勝手が良くなる。また、把柄２の嵌入部基部２ｂの両側部にはリベット６を挿通させるための透孔を穿設している。
【００２２】
匙体５は耐摩耗のために熱処理した鋼を使用しており、その匙体差込部５ａは裏面側の隙間に溶接部７を施して筒状に形成すると共に、この筒状に形成した匙部差込部５ａの内径を把柄２の嵌入部基部２ｂの外径よりも例えば、０．５〜１．０ｍｍ程度小さい径としている。また、匙部差込管５ａの両側部にはリベット６を挿通させるための透孔を穿設している。
【００２３】
上記の把柄２、握り連結体３、握り４、及び匙体５を一体的に接合してショベルを形成するときは、先ず、同じアルミ材から形成した握り連結体３と握り４とをアルミ溶接にて接合する。次に、この握り連結体３を同じくアルミ材から形成した把柄２の一端部に嵌め入れてアルミ溶接にて接合する。なお、握り４が木製であるときには、握り連結体３に釘等にて固定する。
【００２４】
次に、図２のように、把柄２の絞り成形した嵌入部２ａを匙体差込部５ａの筒状開口部に臨ませ、機械的圧入手段により嵌入部２ａを匙体差込部５ａに圧入する。これによって、匙体差込部５ａの筒状開口部より若干大きな径のアルミ製の把柄２の嵌入部基部２ｂは縮径されながら嵌め入れられ、がたつきのないように強固に接合される。このとき、嵌入部２ａの先端は匙体差込部５ａの内面に当接させるようにする。そして、匙体差込部５ａと把柄２の嵌入部基部２ｂとに穿接した透孔にリベット６を装着して締結固定する。このリベット６はショベル使用時における把柄２の抜け止めと回転防止の役割を果たす。
【００２５】
このように、把柄２、握り連結体３、及び握り４はアルミ溶接にて一体に接合すると共に、匙体差込部５ａは裏面側に溶接部７を施して隙間をなくして筒状に形成し、匙体差込部５ａの筒状部に嵌入部基部２ｂを縮径させながら圧入させたので、がたつきもなくて強固に固定された軽量なショベルが実現できる。
【００２６】
また、把柄２の先端部をテーパー状に絞って嵌入部２ａを形成し、該嵌入部２ａを匙体差込部５ａに嵌入したので、匙体５と把柄２との接続部の強度は、図３に示す嵌入部２ａの先端部が匙体差込部５ａの内面と当接する部分Ａと、溶接を施した匙体差込部５ａの筒状部にて強固に支えて十分な強度を発揮する。
【００２７】
また、嵌入部基部２ｂは把柄２の外径より縮小させて成形し、かつ匙体差込部５ａの外径を把柄２の外径とほぼ同一にし、匙体５と把柄２の連結時に匙体差込部５ａと把柄２の接合部の段差をなくすようにようにすることによって、把柄２と匙体差込部５ａの接合部付近を手で握ったときに手が段差に引っ掛かることもなくて手ざわりも良く、使い勝手の良いものとなる。
【実施例２】
【００２８】
図４は本発明のショベル・スコップの他の実施例を示すものであって、把柄２と匙体３の連結部の側面図を示しており、図４中図１〜図３で示したものと同一のものには同一符号を付してある。実施例１と相違するところは、図２の把柄２の先端部をテーパー状に絞って嵌入部２ａを形成するのに代えて、アルミ製の補強材８を別途成形し、該補強材８を把柄２の嵌入部基部２ｂに圧入し、アルミ溶接することによって連結固定したものである。なお、アルミ溶接せずにリベット６を利用して把柄２、匙体３と一体的に締結するようにしても良い。
【００２９】
補強材８は匙体差込部５ａに嵌入したときに、補強材８の湾曲部８ａが匙体差込部５ａ内面に強く当接して連結部を補強するようにプレス加工にて成形すると共に、補強材基部８ｂは筒形状とし、アルミ材の成形性の良さを利用して把柄２の嵌入部基部２ｂに圧入してがたつきのにように強固に接合できるようにし、かつ補強材８によって把柄２内への土砂の進入を阻止できるようにしておく。
【００３０】
そして、アルミ製の把柄２と鋼製の匙体３を連結するときには、先ず、補強材８を把柄２の嵌入部基部２ｂに圧入してからアルミ溶接によって連結する。次に、把柄２と連結した補強材８を匙体差込部５ａの筒状開口部に臨ませ、機械的圧入手段により匙体差込部５ａに圧入する。これによって、匙体差込部５ａの筒状開口部より若干大きな径のアルミ製の把柄２の嵌入部基部２ｂは縮径されながら嵌め入れられ、がたつきのないように強固に接合される。このとき、補強材８の湾曲部８ａは匙体差込部５ａ内面に強く当接して連結を強固なものとする。そして、匙体差込部５ａと把柄２の嵌入部基部２ｂとに穿接した透孔にリベット６を装着して締結固定する。
【００３１】
このように、匙体差込部５ａに嵌め入れるように成形した補強材８を別途製作し、この補強材８を把柄２の先端部に挿入して固定すれば、実施例１のように、スエージング加工等によって把柄３先端部をテーパー状に絞って成形することに比べて安価に製造できる。
【図面の簡単な説明】
【００３２】
【図１】本発明に係るショベルの、（ａ）正面図、（ｂ）背面図である。
【図２】本発明に係るショベルの匙体に把柄を挿入する状態を説明する図である。
【図３】本発明に係るショベルの匙体に把柄を挿入した状態を説明する背面図である。
【図４】本発明に係るショベルの他の実施例で、把柄と匙体の連結部を説明する側面図である。
【符号の説明】
【００３３】
１…ショベル                  ２…把柄
２ａ…嵌入部                  ２ｂ…嵌入部基部
３…握り連結体                ４…握り
５…匙体                      ５ａ…匙体差込部
６…リベット（締結具）        ７…溶接部
８…補強材
【図１】
2006152583.tif 000003
【図２】
2006152583.tif 000004
【図３】
2006152583.tif 000005
【図４】
2006152583.tif 000006